(57)【要約】【課題】本発明は窓の開く程度をコントロールできるロックを開示した。【解決手段】壁を含み、前記壁の中には回転チャンバが前後に貫通するように設けられ、前記回転チャンバの中には窓が回転できるように設けられ、前記窓の中には第一伝動軸が固定的に連結され、前記回転チャンバの上側内壁の中には空きチャンバが設けられ、前記空きチャンバの中には起動装置が設けられ、前記空きチャンバの上側内壁の中には発電機が設けられ、前記発電機には上回転軸が固定的に連結され、前記上回転軸のうち前記発電機から離れた一端には第三傘歯車が固定的に連結され、前記第三傘歯車は前記起動装置と噛合することができ、前記第一伝動軸の上側には第二傘歯車が固定的に連結されている。【選択図】図１
2020183691.tif 000002
【特許請求の範囲】
【請求項１】
正面視で、壁を含み、前記壁の中には回転チャンバが前後に貫通するように設けられ、前記回転チャンバの中には窓が回転できるように設けられ、前記窓の中には第一伝動軸が固定的に連結され、前記回転チャンバの上側内壁の中には空きチャンバが設けられ、前記空きチャンバの中には起動装置が設けられ、前記空きチャンバの上側内壁の中には発電機が設けられ、前記発電機には上回転軸が固定的に連結され、前記上回転軸のうち前記発電機から離れた一端には第三傘歯車が固定的に連結され、前記第三傘歯車は前記起動装置と噛合することができ、前記第一伝動軸の上側には第二傘歯車が固定的に連結され、前記第二傘歯車も前記起動装置と噛合でき、前記回転チャンバと前記空きチャンバとの間には閉めチャンバが設けられ、前記閉めチャンバの中には戻し装置が設けられ、前記戻し装置が前記第一伝動軸に固定的に連結され、前記回転チャンバの下側内壁の中には旋転チャンバが連通するように設けられ、前記旋転チャンバの中には回転装置が設けられ、前記回転装置の上端が前記窓に固定的に連結され、前記旋転チャンバの左側内壁の中には歯車チャンバが連通するように設けられ、前記歯車チャンバの中にはロック装置が設けられ、前記ロック装置と前記戻し装置とが噛合するように連結され、前記起動装置は前記空きチャンバの中に左右に対称的に設けられた回転可能な第一傘歯車を含み、前記第一傘歯車のうち対称中心から離れた一端には歯車軸が固定的に連結され、前記空きチャンバの左右両側内壁の中には伝動チャンバが対称的に、且つ連通するように設けられ、前記伝動チャンバの中には第一電磁石がスライドできるように設けられ、前記第一傘歯車は同時に前記第三傘歯車と前記第二傘歯車とに噛合することができ、前記第三傘歯車が回転することにより前記第一傘歯車を回転連動させることができ、これによって前記第二傘歯車を回転連動させることができ、これによって前記第一伝動軸を回転連動させることができ、前記空きチャンバの下側内壁にはプローブが前記第二傘歯車に対して左右に対称的に固定的に設けられ、両側の前記第一傘歯車が同時にスライドし前記第三傘歯車と前記第二傘歯車と噛合したことを両側の前記プローブが検知したとき、前記発電機が止まり、これによって前記第一傘歯車と、前記第三傘歯車と、前記第二傘歯車とを壊すことを防ぐことを特徴とする窓の開く程度をコントロールできるロック。
【請求項２】
前記戻し装置は前記閉めチャンバに左右に対称的に設けられたスライド板を含み、前記スライド板のうち対称中心から離れた一端と前記閉めチャンバの左右両側内壁との間にはバネが固定的に連結され、前記閉めチャンバの中にはフレームがスライドできるように設けられ、前記フレームの中には上下に貫通したスライドチャンバが設けられ、前記スライドチャンバの中には偏心輪が回転できるように設けられ、前記偏心輪が前記第一伝動軸に固定的に連結され、前記フレームの左右両端には直ロッドが対称的に固定的に連結されていることを特徴とする請求項１に記載の窓の開く程度をコントロールできるロック。
【請求項３】
前記回転装置は前記旋転チャンバの中に回転できるように設けられた連結軸を含み、前記連結軸の上端が前記窓に固定的に連結され、前記連結軸の下端には回転ロッドがヒンジによって連結され、前記回転ロッドの左端にはヒンジ軸がヒンジによって連結され、前記ヒンジ軸の下端にはスライドブロックが固定的に連結され、前記旋転チャンバの下側内壁の中にはスライドブロック溝が連通するように設けられ、前記スライドブロックの下端が前記スライドブロック溝の中に伸びており、前記回転ロッドの中にはスライドロッド溝が上下に貫通するように設けられ、前記スライドロッド溝の中にはスライドロッドがスライドできるように設けられ、前記スライドロッドの右端が前記旋転チャンバの右側内壁にヒンジによって連結されていることを特徴とする請求項２に記載の窓の開く程度をコントロールできるロック。
【請求項４】
前記ロック装置は前記歯車チャンバの中にスライドできるように設けられた移動軸を含み、前記移動軸には第一爪車と第二爪車とが回転できるように連結され、前記スライドブロック溝の中にはラックがスライドできるように設けられ、前記ラックの右端が前記スライドブロックに固定的に連結され、前記歯車チャンバの前側内壁の中には移動チャンバが連通するように設けられ、前記移動チャンバの中には第三電磁石がスライドできるように設けられ、前記移動軸の前側と前記第三電磁石とが固定的に連結され、前記第三電磁石が通電された後に前記移動軸をスライド連動させることができ、これによって前記第一爪車と前記第二爪車とをスライド連動させて前記ラックと噛合させまたは離脱させることができ、前記移動軸の周面には二つの歯止めが固定的に連結され、二つの歯止めがそれぞれ前記第一爪車と前記第二爪車と片方向で噛合するように連結され、右側の前記歯止めは前記第一爪車が時計回りに回転することを阻害でき、前側の前記歯止めは前記第二爪車が反時計回りに回転することを阻害でき、前記歯車チャンバの後側内壁の中には内チャンバが連通するように設けられ、前記移動軸の後端が前記内チャンバの中に伸びていることを特徴とする請求項３に記載の窓の開く程度をコントロールできるロック。
【発明の詳細な説明】
【技術分野】
【０００１】
本発明は安全防盗分野を取り上げて、具体的には窓の開く程度をコントロールできるロックである。
【背景技術】
【０００２】
生活の中で、建築物の窓が高いところに取り付けられたことがあり、人々は高いところに登るしかこういう窓を開閉することができないし、自在に窓の開く程度も調整できず、時間も労力もかかり、現在高いところに取り付けられた窓の開く程度を自動的にコントロール装置はまだなく、従って、自動的に窓の開く程度をコントロールでき、且つ窓をロックすることができるロックを設計する必要があり、本装置は人々が高いところに登って窓を開閉しロックすることを避け、時間を節約し、安全性を向上させた。
【先行技術文献】
【特許文献】
【０００３】
【特許文献１】中国特許出願公開第１０５４８４６１０号明細書
【発明の概要】
【発明が解決しようとする課題】
【０００４】
本発明の目的は窓の開く程度をコントロールできるロックを提供し、それは上記の現在の技術中の問題を解決できる。
【課題を解決するための手段】
【０００５】
上記の課題を解決するため、本発明は以下の技術プランを採用する：本発明の窓の開く程度をコントロールできるロックは、壁を含み、前記壁の中には回転チャンバが前後に貫通するように設けられ、前記回転チャンバの中には窓が回転できるように設けられ、前記窓の中には第一伝動軸が固定的に連結され、前記回転チャンバの上側内壁の中には空きチャンバが設けられ、前記空きチャンバの中には起動装置が設けられ、前記空きチャンバの上側内壁の中には発電機が設けられ、前記発電機には上回転軸が固定的に連結され、前記上回転軸のうち前記発電機から離れた一端には第三傘歯車が固定的に連結され、前記第三傘歯車は前記起動装置と噛合することができ、前記第一伝動軸の上側には第二傘歯車が固定的に連結され、前記第二傘歯車も前記起動装置と噛合でき、前記回転チャンバと前記空きチャンバとの間には閉めチャンバが設けられ、前記閉めチャンバの中には戻し装置が設けられ、前記戻し装置が前記第一伝動軸に固定的に連結され、前記回転チャンバの下側内壁の中には旋転チャンバが連通するように設けられ、前記旋転チャンバの中には回転装置が設けられ、前記回転装置の上端が前記窓に固定的に連結され、前記旋転チャンバの左側内壁の中には歯車チャンバが連通するように設けられ、前記歯車チャンバの中にはロック装置が設けられ、前記ロック装置と前記戻し装置とが噛合するように連結され、前記起動装置は前記空きチャンバの中に左右に対称的に設けられた回転可能な第一傘歯車を含み、前記第一傘歯車のうち対称中心から離れた一端には歯車軸が固定的に連結され、前記空きチャンバの左右両側内壁の中には伝動チャンバが対称的に、且つ連通するように設けられ、前記伝動チャンバの中には第一電磁石がスライドできるように設けられ、前記第一傘歯車は同時に前記第三傘歯車と前記第二傘歯車とに噛合することができ、前記第三傘歯車が回転することにより前記第一傘歯車を回転連動させることができ、これによって前記第二傘歯車を回転連動させることができ、これによって前記第一伝動軸を回転連動させることができ、前記空きチャンバの下側内壁にはプローブが前記第二傘歯車に対して左右に対称的に固定的に設けられ、両側の前記第一傘歯車が同時にスライドし前記第三傘歯車と前記第二傘歯車と噛合したことを両側の前記プローブが検知したとき、前記発電機が止まり、これによって前記第一傘歯車と、前記第三傘歯車と、前記第二傘歯車とを壊すことを防ぐ。
【０００６】
更の技術プラン、前記戻し装置は前記閉めチャンバに左右に対称的に設けられたスライド板を含み、前記スライド板のうち対称中心から離れた一端と前記閉めチャンバの左右両側内壁との間にはバネが固定的に連結され、前記閉めチャンバの中にはフレームがスライドできるように設けられ、前記フレームの中には上下に貫通したスライドチャンバが設けられ、前記スライドチャンバの中には偏心輪が回転できるように設けられ、前記偏心輪が前記第一伝動軸に固定的に連結され、前記フレームの左右両端には直ロッドが対称的に固定的に連結され、前記直ロッドは前記スライド板を押すことによって前記バネを圧縮することができ、前記バネの弾力作用によって前記偏心輪が反転する傾向を持つ。
【０００７】
更の技術プラン、前記回転装置は前記旋転チャンバの中に回転できるように設けられた連結軸を含み、前記連結軸の上端が前記窓に固定的に連結され、前記連結軸の下端には回転ロッドがヒンジによって連結され、前記回転ロッドの左端にはヒンジ軸がヒンジによって連結され、前記ヒンジ軸の下端にはスライドブロックが固定的に連結され、前記旋転チャンバの下側内壁の中にはスライドブロック溝が連通するように設けられ、前記スライドブロックの下端が前記スライドブロック溝の中に伸びており、前記回転ロッドの中にはスライドロッド溝が上下に貫通するように設けられ、前記スライドロッド溝の中にはスライドロッドがスライドできるように設けられ、前記スライドロッドの右端が前記旋転チャンバの右側内壁にヒンジによって連結され、これによって前記回転ロッドが回転するときに支点を提供でき、これによって前記スライドブロックが前記スライドブロック溝に沿って左右にスライドすることができる。
【０００８】
更の技術プラン、前記ロック装置は前記歯車チャンバの中にスライドできるように設けられた移動軸を含み、前記移動軸には第一爪車と第二爪車とが回転できるように連結され、前記スライドブロック溝の中にはラックがスライドできるように設けられ、前記ラックの右端が前記スライドブロックに固定的に連結され、前記歯車チャンバの前側内壁の中には移動チャンバが連通するように設けられ、前記移動チャンバの中には第三電磁石がスライドできるように設けられ、前記移動軸の前側と前記第三電磁石とが固定的に連結され、前記第三電磁石が通電された後に前記移動軸をスライド連動させることができ、これによって前記第一爪車と前記第二爪車とをスライド連動させて前記ラックと噛合させまたは離脱させることができ、前記移動軸の周面には二つの歯止めが固定的に連結され、二つの歯止めがそれぞれ前記第一爪車と前記第二爪車と片方向で噛合するように連結され、右側の前記歯止めは前記第一爪車が時計回りに回転することを阻害でき、前側の前記歯止めは前記第二爪車が反時計回りに回転することを阻害でき、前記歯車チャンバの後側内壁の中には内チャンバが連通するように設けられ、前記移動軸の後端が前記内チャンバの中に伸びている。
【発明の効果】
【０００９】
本発明は構造が簡単で、操作が便利であり、自動的に窓の開く程度をコントロールでき、また窓をロックすることもでき、本装置は人々が高いところに登って窓を開閉しロックすることを避け、時間を節約し、安全性を向上させた。
【図面の簡単な説明】
【００１０】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の窓の開く程度をコントロールできるロックの内部構成略図
【図２】図２は図１のＡ―Ａの拡大略図
【図３】図３は図１のＢの拡大略図
【図４】図４は図１のＣ―Ｃ方向の構成略図
【図５】図５は図２のＤの拡大略図
【図６】図６は図２のＥ―Ｅ方向の構成略図
【発明を実施するための形態】
【００１２】
図１〜６を参照し、本発明の窓の開く程度をコントロールできるロックは、壁２２を含み、前記壁２２の中には回転チャンバ８０が前後に貫通するように設けられ、前記回転チャンバ８０の中には窓１５が回転できるように設けられ、前記窓１５の中には第一伝動軸１６が固定的に連結され、前記回転チャンバ８０の上側内壁の中には空きチャンバ２６が設けられ、前記空きチャンバ２６の中には起動装置１００が設けられ、前記空きチャンバ２６の上側内壁の中には発電機２４が設けられ、前記発電機２４には上回転軸５０が固定的に連結され、前記上回転軸５０のうち前記発電機２４から離れた一端には第三傘歯車２３が固定的に連結され、前記第三傘歯車２３は前記起動装置１００と噛合することができ、前記第一伝動軸１６の上側には第二傘歯車１３が固定的に連結され、前記第二傘歯車１３も前記起動装置１００と噛合でき、前記回転チャンバ８０と前記空きチャンバ２６との間には閉めチャンバ３４が設けられ、前記閉めチャンバ３４の中には戻し装置１０１が設けられ、前記戻し装置１０１が前記第一伝動軸１６に固定的に連結され、前記回転チャンバ８０の下側内壁の中には旋転チャンバ４３が連通するように設けられ、前記旋転チャンバ４３の中には回転装置１０２が設けられ、前記回転装置１０２の上端が前記窓１５に固定的に連結され、前記旋転チャンバ４３の左側内壁の中には歯車チャンバ１９が連通するように設けられ、前記歯車チャンバ１９の中にはロック装置１０３が設けられ、前記ロック装置１０３と前記戻し装置１０１とが噛合するように連結され、前記起動装置１００は前記空きチャンバ２６の中に左右に対称的に設けられた回転可能な第一傘歯車１２を含み、前記第一傘歯車１２のうち対称中心から離れた一端には歯車軸２５が固定的に連結され、前記空きチャンバ２６の左右両側内壁の中には伝動チャンバ１０が対称的に、且つ連通するように設けられ、前記伝動チャンバ１０の中には第一電磁石１１がスライドできるように設けられ、前記第一傘歯車１２は同時に前記第三傘歯車２３と前記第二傘歯車１３とに噛合することができ、前記第三傘歯車２３が回転することにより前記第一傘歯車１２を回転連動させることができ、これによって前記第二傘歯車１３を回転連動させることができ、これによって前記第一伝動軸１６を回転連動させることができ、前記空きチャンバ２６の下側内壁にはプローブ１４が前記第二傘歯車１３に対して左右に対称的に固定的に設けられ、両側の前記第一傘歯車１２が同時にスライドし前記第三傘歯車２３と前記第二傘歯車１３と噛合したことを両側の前記プローブ１４が検知したとき、前記発電機２４が止まり、これによって前記第一傘歯車１２と、前記第三傘歯車２３と、前記第二傘歯車１３とを壊すことを防ぐ。
【００１３】
有益に、前記戻し装置１０１は前記閉めチャンバ３４に左右に対称的に設けられたスライド板３３を含み、前記スライド板３３のうち対称中心から離れた一端と前記閉めチャンバ３４の左右両側内壁との間にはバネ３２が固定的に連結され、前記閉めチャンバ３４の中にはフレーム３６がスライドできるように設けられ、前記フレーム３６の中には上下に貫通したスライドチャンバ９０が設けられ、前記スライドチャンバ９０の中には偏心輪３５が回転できるように設けられ、前記偏心輪３５が前記第一伝動軸１６に固定的に連結され、前記フレーム３６の左右両端には直ロッド３７が対称的に固定的に連結され、前記直ロッド３７は前記スライド板３３を押すことによって前記バネ３２を圧縮することができ、前記バネ３２の弾力作用によって前記偏心輪３５が反転する傾向を持つ。
【００１４】
有益に、前記回転装置１０２は前記旋転チャンバ４３の中に回転できるように設けられた連結軸４０を含み、前記連結軸４０の上端が前記窓１５に固定的に連結され、前記連結軸４０の下端には回転ロッド４１がヒンジによって連結され、前記回転ロッド４１の左端にはヒンジ軸４４がヒンジによって連結され、前記ヒンジ軸４４の下端にはスライドブロック２０が固定的に連結され、前記旋転チャンバ４３の下側内壁の中にはスライドブロック溝２１が連通するように設けられ、前記スライドブロック２０の下端が前記スライドブロック溝２１の中に伸びており、前記回転ロッド４１の中にはスライドロッド溝４２が上下に貫通するように設けられ、前記スライドロッド溝４２の中にはスライドロッド３８がスライドできるように設けられ、前記スライドロッド３８の右端が前記旋転チャンバ４３の右側内壁にヒンジによって連結され、これによって前記回転ロッド４１が回転するときに支点を提供でき、これによって前記スライドブロック２０が前記スライドブロック溝２１に沿って左右にスライドすることができる。
【００１５】
有益に、前記ロック装置１０３は前記歯車チャンバ１９の中にスライドできるように設けられた移動軸２７を含み、前記移動軸２７には第一爪車１７と第二爪車４７とが回転できるように連結され、前記スライドブロック溝２１の中にはラック３０がスライドできるように設けられ、前記ラック３０の右端が前記スライドブロック２０に固定的に連結され、前記歯車チャンバ１９の前側内壁の中には移動チャンバ４９が連通するように設けられ、前記移動チャンバ４９の中には第三電磁石４６がスライドできるように設けられ、前記移動軸２７の前側と前記第三電磁石４６とが固定的に連結され、前記第三電磁石４６が通電された後に前記移動軸２７をスライド連動させることができ、これによって前記第一爪車１７と前記第二爪車４７とをスライド連動させて前記ラック３０と噛合させまたは離脱させることができ、前記移動軸２７の周面には二つの歯止め２９が固定的に連結され、二つの歯止めがそれぞれ前記第一爪車１７と前記第二爪車４７と片方向で噛合するように連結され、右側の前記歯止め２９は前記第一爪車１７が時計回りに回転することを阻害でき、前側の前記歯止め２９は前記第二爪車４７が反時計回りに回転することを阻害でき、前記歯車チャンバ１９の後側内壁の中には内チャンバ３１が連通するように設けられ、前記移動軸２７の後端が前記内チャンバ３１の中に伸びている。
【００１６】
初期状態に、第二電磁石ブロック４５が通電され、これによって両側の第一傘歯車１２を第三傘歯車２３と第二傘歯車１３と噛合できないようにする。
【００１７】
使用時に、左側の第二電磁石ブロック４５の通電状態を解除し、このとき左側の第一電磁石１１がスライドし第二電磁石ブロック４５から離れ、これによって歯車軸２５を押してスライドさせ、これによって第一傘歯車１２をスライド連動させて第二傘歯車１３及び第三傘歯車２３と噛合させ、このとき発電機２４を始動し、これによって第三傘歯車２３を連動させ、これによって第一傘歯車１２を回転連動させ、これによって第二傘歯車１３を回転連動させ、これによって第一伝動軸１６で窓１５を回転連動させ、これによって連結軸４０を回転連動させ、回転ロッド４１と連結軸４０との間がヒンジによって連結されているため、このとき回転ロッド４１は連結軸４０を中心に回転することができ、同時にスライドロッド３８のガイド支持により、回転ロッド４１はヒンジ軸４４をスライド連動させることができ、ヒンジ軸４４と回転ロッド４１との間がヒンジによって連結されているため、このときヒンジ軸４４と回転ロッド４１とが相対回転し、同時にヒンジ軸４４はスライドブロック２０を連動させ、スライドブロック２０がスライドブロック溝２１に沿って右へスライドすることができ、これによってラック３０を右へスライド連動させることができ、このとき第一爪車１７とラック３０とが噛合し、このとき後側の歯止め２９は第一爪車１７の回転に阻害しないのであり、窓１５が使用者が求める角度に達したとき、左側の第二電磁石ブロック４５を通電させ、発電機２４を止め、このとき第一伝動軸１６が窓１５を回転連動させる同時に偏心輪３５を回転連動させ、これによってフレーム３６を押しスライドさせ、これによって直ロッド３７をスライド連動させ、これによって左側のスライド板３３を押しスライドさせ、左側のスライド板３３が左側のバネ３２を圧縮し、左側のバネ３２の弾力作用により、偏心輪３５が回転する傾向を持ち、これによって第一伝動軸１６が窓１５を回転連動させる傾向を持ち、このとき後側の歯止め２９が第一爪車１７の反転を阻害することにより、窓１５の回転を阻止し、これによって窓１５をロックでき、窓１５を閉めるとき、右側の第二電磁石ブロック４５の通電状態を解除し、また左側の第二電磁石ブロック４５を通電させ、このとき右側の第一電磁石１１がスライドし右側の第二電磁石ブロック４５から離れ、これによって右側の歯車軸２５を押しスライドさせ、これによって右側の第一傘歯車１２をスライド連動させて第二傘歯車１３及び第三傘歯車２３と噛合させ、このとき発電機２４を始動し、これによって第三傘歯車２３を回転連動させ、これによって第一傘歯車１２を回転連動させ、これによって第二傘歯車１３を回転連動させ、これによって第一伝動軸１６で窓１５を回転連動させ、これによって連結軸４０を回転連動させ、回転ロッド４１と連結軸４０との間がヒンジによって連結されているため、このとき回転ロッド４１は連結軸４０を中心に回転することができ、同時にスライドロッド３８のガイド支持により、回転ロッド４１はヒンジ軸４４をスライド連動させることができ、ヒンジ軸４４と回転ロッド４１との間がヒンジによって連結されているため、このときヒンジ軸４４と回転ロッド４１とが相対回転し、同時にヒンジ軸４４はスライドブロック２０を連動させて、スライドブロック２０にスライドブロック溝２１に沿って左へスライドさせ、これによってラック３０を左へスライド連動させ、このとき第二爪車４７とラック３０とが噛合し、このとき前側の爪車２９が第二爪車４７の回転に影響しないのであり、第一伝動軸１６が窓１５を回転連動させる同時に偏心輪３５を回転連動させ、これによってフレーム３６を押しスライドさせ、これによって直ロッド３７をスライド連動させ、これによって左側のスライド板３３を押しスライドさせ、左側のスライド板３３が左側のバネ３２を圧縮し、右側のバネ３２の弾力作用により、偏心輪３５が回転する傾向を持ち、これによって第一伝動軸１６が窓１５を回転連動させる傾向を持ち、これによってスライドブロック２０が右へスライドする傾向を持ち、このとき前側の歯止め２９が第一爪車１７の反転を阻害することにより、窓１５の回転を阻止できる。
【００１８】
有益効果は：本発明は構造が簡単で、操作が便利であり、自動的に窓の開く程度をコントロールでき、また窓をロックすることもでき、本装置は人々が高いところに登って窓を開閉しロックすることを避け、時間を節約し、安全性を向上させた。
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020183691.tif 000003
【図２】
2020183691.tif 000004
【図３】
2020183691.tif 000005
【図４】
2020183691.tif 000006
【図５】
2020183691.tif 000007
【図６】
2020183691.tif 000008
【手続補正書】
【提出日】令和1年12月2日(2019.12.2)
【手続補正１】
【補正対象書類名】特許請求の範囲
【補正対象項目名】全文
【補正方法】変更
【補正の内容】
【特許請求の範囲】
【請求項１】
正面視で、壁を含み、前記壁の中には回転チャンバが前後に貫通するように設けられ、前記回転チャンバの中には窓が回転できるように設けられ、前記窓の中には第一伝動軸が固定的に連結され、前記回転チャンバの上側内壁の中には空きチャンバが設けられ、前記空きチャンバの中には起動装置が設けられ、前記空きチャンバの上側内壁の中には発電機が設けられ、前記発電機には上回転軸が固定的に連結され、前記回転軸のうち前記発電機から離れた一端には第三傘歯車が固定的に連結され、前記第三傘歯車は前記起動装置と噛合することができ、前記第一伝動軸の上側には第二傘歯車が固定的に連結され、前記第二傘歯車も前記起動装置と噛合でき、前記回転チャンバと前記空きチャンバとの間には閉めチャンバが設けられ、前記閉めチャンバの中には戻し装置が設けられ、前記戻し装置が前記第一伝動軸に固定的に連結され、前記回転チャンバの下側内壁の中には旋転チャンバが連通するように設けられ、前記旋転チャンバの中には回転装置が設けられ、前記回転装置の上端が前記窓に固定的に連結され、前記旋転チャンバの左側内壁の中には歯車チャンバが連通するように設けられ、前記歯車チャンバの中にはロック装置が設けられ、前記ロック装置と前記戻し装置とが噛合するように連結され、前記起動装置は前記空きチャンバの中に左右に対称的に設けられた回転可能な第一傘歯車を含み、前記第一傘歯車のうち対称中心から離れた一端には歯車軸が固定的に連結され、前記空きチャンバの左右両側内壁の中には伝動チャンバが対称的に、且つ連通するように設けられ、前記伝動チャンバの中には第一電磁石がスライドできるように設けられ、前記第一傘歯車は同時に前記第三傘歯車と前記第二傘歯車とに噛合することができ、前記第三傘歯車が回転することにより前記第一傘歯車を回転連動させることができ、これによって前記第二傘歯車を回転連動させることができ、これによって前記第一伝動軸を回転連動させることができ、前記空きチャンバの下側内壁にはプローブが前記第二傘歯車に対して左右に対称的に固定的に設けられ、両側の前記第一傘歯車が同時にスライドし前記第三傘歯車と前記第二傘歯車と噛合したことを両側の前記プローブが検知したとき、前記発電機が止まり、これによって前記第一傘歯車と、前記第三傘歯車と、前記第二傘歯車とを壊すことを防ぎ、
前記戻し装置は前記閉めチャンバに左右に対称的に設けられたスライド板を含み、前記スライド板のうち対称中心から離れた一端と前記閉めチャンバの左右両側内壁との間にはバネが固定的に連結され、前記閉めチャンバの中にはフレームがスライドできるように設けられ、前記フレームの中には上下に貫通したスライドチャンバが設けられ、前記スライドチャンバの中には偏心輪が回転できるように設けられ、前記偏心輪が前記第一伝動軸に固定的に連結され、前記フレームの左右両端には直ロッドが対称的に固定的に連結され、
前記回転装置は前記旋転チャンバの中に回転できるように設けられた連結軸を含み、前記連結軸の上端が前記窓に固定的に連結され、前記連結軸の下端には回転ロッドがヒンジによって連結され、前記回転ロッドの左端にはヒンジ軸がヒンジによって連結され、前記ヒンジ軸の下端にはスライドブロックが固定的に連結され、前記旋転チャンバの下側内壁の中にはスライドブロック溝が連通するように設けられ、前記スライドブロックの下端が前記スライドブロック溝の中に伸びており、前記回転ロッドの中にはスライドロッド溝が上下に貫通するように設けられ、前記スライドロッド溝の中にはスライドロッドがスライドできるように設けられ、前記スライドロッドの右端が前記旋転チャンバの右側内壁にヒンジによって連結され、
前記ロック装置は前記歯車チャンバの中にスライドできるように設けられた移動軸を含み、前記移動軸には第一爪車と第二爪車とが回転できるように連結され、前記スライドブロック溝の中にはラックがスライドできるように設けられ、前記ラックの右端が前記スライドブロックに固定的に連結され、前記歯車チャンバの前側内壁の中には移動チャンバが連通するように設けられ、前記移動チャンバの中には第三電磁石がスライドできるように設けられ、前記移動軸の前側と前記第三電磁石とが固定的に連結され、前記第三電磁石が通電された後に前記移動軸をスライド連動させることができ、これによって前記第一爪車と前記第二爪車とをスライド連動させて前記ラックと噛合させまたは離脱させることができ、前記移動軸の周面には二つの歯止めが固定的に連結され、二つの歯止めがそれぞれ前記第一爪車と前記第二爪車と片方向で噛合するように連結され、右側の前記歯止めは前記第一爪車が時計回りに回転することを阻害でき、前側の前記歯止めは前記第二爪車が反時計回りに回転することを阻害でき、前記歯車チャンバの後側内壁の中には内チャンバが連通するように設けられ、前記移動軸の後端が前記内チャンバの中に伸びていることを特徴とする窓の開く程度をコントロールできるロック。
【手続補正書】
【提出日】令和2年3月16日(2020.3.16)
【手続補正１】
【補正対象書類名】特許請求の範囲
【補正対象項目名】全文
【補正方法】変更
【補正の内容】
【特許請求の範囲】
【請求項１】
正面視で、壁を含み、前記壁の中には回転チャンバが前後に貫通するように設けられ、前記回転チャンバの中には窓が回転できるように設けられ、前記窓の中には第一伝動軸が固定的に連結され、前記回転チャンバの上側内壁の中には空きチャンバが設けられ、前記空きチャンバの中には起動装置が設けられ、前記空きチャンバの上側内壁の中には発電機が設けられ、前記発電機には回転軸が固定的に連結され、前記回転軸のうち前記発電機から離れた一端には第三傘歯車が固定的に連結され、前記第三傘歯車は前記起動装置と噛合することができ、前記第一伝動軸の上側には第二傘歯車が固定的に連結され、前記第二傘歯車も前記起動装置と噛合でき、前記回転チャンバと前記空きチャンバとの間には閉めチャンバが設けられ、前記閉めチャンバの中には戻し装置が設けられ、前記戻し装置が前記第一伝動軸に固定的に連結され、前記回転チャンバの下側内壁の中には旋転チャンバが連通するように設けられ、前記旋転チャンバの中には回転装置が設けられ、前記回転装置の上端が前記窓に固定的に連結され、前記旋転チャンバの左側内壁の中には歯車チャンバが連通するように設けられ、前記歯車チャンバの中にはロック装置が設けられ、前記ロック装置と前記戻し装置とが噛合するように連結され、前記起動装置は前記空きチャンバの中に左右に対称的に設けられた回転可能な第一傘歯車を含み、前記第一傘歯車のうち対称中心から離れた一端には歯車軸が固定的に連結され、前記空きチャンバの左右両側内壁の中には伝動チャンバが対称的に、且つ連通するように設けられ、前記伝動チャンバの中には第一電磁石がスライドできるように設けられ、前記第一傘歯車は同時に前記第三傘歯車と前記第二傘歯車とに噛合することができ、前記第三傘歯車が回転することにより前記第一傘歯車を回転連動させることができ、これによって前記第二傘歯車を回転連動させることができ、これによって前記第一伝動軸を回転連動させることができ、前記空きチャンバの下側内壁にはプローブが前記第二傘歯車に対して左右に対称的に固定的に設けられ、両側の前記第一傘歯車が同時にスライドし前記第三傘歯車と前記第二傘歯車と噛合したことを両側の前記プローブが検知したとき、前記発電機が止まり、これによって前記第一傘歯車と、前記第三傘歯車と、前記第二傘歯車とを壊すことを防ぎ、
前記戻し装置は前記閉めチャンバに左右に対称的に設けられたスライド板を含み、前記スライド板のうち対称中心から離れた一端と前記閉めチャンバの左右両側内壁との間にはバネが固定的に連結され、前記閉めチャンバの中にはフレームがスライドできるように設けられ、前記フレームの中には上下に貫通したスライドチャンバが設けられ、前記スライドチャンバの中には偏心輪が回転できるように設けられ、前記偏心輪が前記第一伝動軸に固定的に連結され、前記フレームの左右両端には直ロッドが対称的に固定的に連結され、
前記回転装置は前記旋転チャンバの中に回転できるように設けられた連結軸を含み、前記連結軸の上端が前記窓に固定的に連結され、前記連結軸の下端には回転ロッドがヒンジによって連結され、前記回転ロッドの左端にはヒンジ軸がヒンジによって連結され、前記ヒンジ軸の下端にはスライドブロックが固定的に連結され、前記旋転チャンバの下側内壁の中にはスライドブロック溝が連通するように設けられ、前記スライドブロックの下端が前記スライドブロック溝の中に伸びており、前記回転ロッドの中にはスライドロッド溝が上下に貫通するように設けられ、前記スライドロッド溝の中にはスライドロッドがスライドできるように設けられ、前記スライドロッドの右端が前記旋転チャンバの右側内壁にヒンジによって連結され、
前記ロック装置は前記歯車チャンバの中にスライドできるように設けられた移動軸を含み、前記移動軸には第一爪車と第二爪車とが回転できるように連結され、前記スライドブロック溝の中にはラックがスライドできるように設けられ、前記ラックの右端が前記スライドブロックに固定的に連結され、前記歯車チャンバの前側内壁の中には移動チャンバが連通するように設けられ、前記移動チャンバの中には第三電磁石がスライドできるように設けられ、前記移動軸の前側と前記第三電磁石とが固定的に連結され、前記第三電磁石が通電された後に前記移動軸をスライド連動させることができ、これによって前記第一爪車と前記第二爪車とをスライド連動させて前記ラックと噛合させまたは離脱させることができ、前記移動軸の周面には二つの歯止めが固定的に連結され、二つの歯止めがそれぞれ前記第一爪車と前記第二爪車と片方向で噛合するように連結され、右側の前記歯止めは前記第一爪車が時計回りに回転することを阻害でき、前側の前記歯止めは前記第二爪車が反時計回りに回転することを阻害でき、前記歯車チャンバの後側内壁の中には内チャンバが連通するように設けられ、前記移動軸の後端が前記内チャンバの中に伸びていることを特徴とする窓の開く程度をコントロールできるロック。
【手続補正２】
【補正対象書類名】明細書
【補正対象項目名】全文
【補正方法】変更
【補正の内容】
【発明の詳細な説明】
【技術分野】
【０００１】
本発明は安全防盗分野を取り上げて、具体的には窓の開く程度をコントロールできるロックである。  
【背景技術】
【０００２】
生活の中で、建築物の窓が高いところに取り付けられたことがあり、人々は高いところに登るしかこういう窓を開閉することができないし、自在に窓の開く程度も調整できず、時間も労力もかかり、現在高いところに取り付けられた窓の開く程度を自動的にコントロール装置はまだなく、従って、自動的に窓の開く程度をコントロールでき、且つ窓をロックすることができるロックを設計する必要があり、本装置は人々が高いところに登って窓を開閉しロックすることを避け、時間を節約し、安全性を向上させた。  
【先行技術文献】
【特許文献】
【０００３】
【特許文献１】中国特許出願公開第１０５４８４６１０号明細書
【発明の概要】
【発明が解決しようとする課題】
【０００４】
本発明の目的は窓の開く程度をコントロールできるロックを提供し、それは上記の現在の技術中の問題を解決できる。  
【課題を解決するための手段】
【０００５】
上記の課題を解決するため、本発明は以下の技術プランを採用する：本発明の窓の開く程度をコントロールできるロックは、壁を含み、前記壁の中には回転チャンバが前後に貫通するように設けられ、前記回転チャンバの中には窓が回転できるように設けられ、前記窓の中には第一伝動軸が固定的に連結され、前記回転チャンバの上側内壁の中には空きチャンバが設けられ、前記空きチャンバの中には起動装置が設けられ、前記空きチャンバの上側内壁の中には発電機が設けられ、前記発電機には回転軸が固定的に連結され、前記上回転軸のうち前記発電機から離れた一端には第三傘歯車が固定的に連結され、前記第三傘歯車は前記起動装置と噛合することができ、前記第一伝動軸の上側には第二傘歯車が固定的に連結され、前記第二傘歯車も前記起動装置と噛合でき、前記回転チャンバと前記空きチャンバとの間には閉めチャンバが設けられ、前記閉めチャンバの中には戻し装置が設けられ、前記戻し装置が前記第一伝動軸に固定的に連結され、前記回転チャンバの下側内壁の中には旋転チャンバが連通するように設けられ、前記旋転チャンバの中には回転装置が設けられ、前記回転装置の上端が前記窓に固定的に連結され、前記旋転チャンバの左側内壁の中には歯車チャンバが連通するように設けられ、前記歯車チャンバの中にはロック装置が設けられ、前記ロック装置と前記戻し装置とが噛合するように連結され、前記起動装置は前記空きチャンバの中に左右に対称的に設けられた回転可能な第一傘歯車を含み、前記第一傘歯車のうち対称中心から離れた一端には歯車軸が固定的に連結され、前記空きチャンバの左右両側内壁の中には伝動チャンバが対称的に、且つ連通するように設けられ、前記伝動チャンバの中には第一電磁石がスライドできるように設けられ、前記第一傘歯車は同時に前記第三傘歯車と前記第二傘歯車とに噛合することができ、前記第三傘歯車が回転することにより前記第一傘歯車を回転連動させることができ、これによって前記第二傘歯車を回転連動させることができ、これによって前記第一伝動軸を回転連動させることができ、前記空きチャンバの下側内壁にはプローブが前記第二傘歯車に対して左右に対称的に固定的に設けられ、両側の前記第一傘歯車が同時にスライドし前記第三傘歯車と前記第二傘歯車と噛合したことを両側の前記プローブが検知したとき、前記発電機が止まり、これによって前記第一傘歯車と、前記第三傘歯車と、前記第二傘歯車とを壊すことを防ぐ。  
【０００６】
更の技術プラン、前記戻し装置は前記閉めチャンバに左右に対称的に設けられたスライド板を含み、前記スライド板のうち対称中心から離れた一端と前記閉めチャンバの左右両側内壁との間にはバネが固定的に連結され、前記閉めチャンバの中にはフレームがスライドできるように設けられ、前記フレームの中には上下に貫通したスライドチャンバが設けられ、前記スライドチャンバの中には偏心輪が回転できるように設けられ、前記偏心輪が前記第一伝動軸に固定的に連結され、前記フレームの左右両端には直ロッドが対称的に固定的に連結され、前記直ロッドは前記スライド板を押すことによって前記バネを圧縮することができ、前記バネの弾力作用によって前記偏心輪が反転する傾向を持つ。  
【０００７】
更の技術プラン、前記回転装置は前記旋転チャンバの中に回転できるように設けられた連結軸を含み、前記連結軸の上端が前記窓に固定的に連結され、前記連結軸の下端には回転ロッドがヒンジによって連結され、前記回転ロッドの左端にはヒンジ軸がヒンジによって連結され、前記ヒンジ軸の下端にはスライドブロックが固定的に連結され、前記旋転チャンバの下側内壁の中にはスライドブロック溝が連通するように設けられ、前記スライドブロックの下端が前記スライドブロック溝の中に伸びており、前記回転ロッドの中にはスライドロッド溝が上下に貫通するように設けられ、前記スライドロッド溝の中にはスライドロッドがスライドできるように設けられ、前記スライドロッドの右端が前記旋転チャンバの右側内壁にヒンジによって連結され、これによって前記回転ロッドが回転するときに支点を提供でき、これによって前記スライドブロックが前記スライドブロック溝に沿って左右にスライドすることができる。  
【０００８】
更の技術プラン、前記ロック装置は前記歯車チャンバの中にスライドできるように設けられた移動軸を含み、前記移動軸には第一爪車と第二爪車とが回転できるように連結され、前記スライドブロック溝の中にはラックがスライドできるように設けられ、前記ラックの右端が前記スライドブロックに固定的に連結され、前記歯車チャンバの前側内壁の中には移動チャンバが連通するように設けられ、前記移動チャンバの中には第三電磁石がスライドできるように設けられ、前記移動軸の前側と前記第三電磁石とが固定的に連結され、前記第三電磁石が通電された後に前記移動軸をスライド連動させることができ、これによって前記第一爪車と前記第二爪車とをスライド連動させて前記ラックと噛合させまたは離脱させることができ、前記移動軸の周面には二つの歯止めが固定的に連結され、二つの歯止めがそれぞれ前記第一爪車と前記第二爪車と片方向で噛合するように連結され、右側の前記歯止めは前記第一爪車が時計回りに回転することを阻害でき、前側の前記歯止めは前記第二爪車が反時計回りに回転することを阻害でき、前記歯車チャンバの後側内壁の中には内チャンバが連通するように設けられ、前記移動軸の後端が前記内チャンバの中に伸びている。  
【発明の効果】
【０００９】
本発明は構造が簡単で、操作が便利であり、自動的に窓の開く程度をコントロールでき、また窓をロックすることもでき、本装置は人々が高いところに登って窓を開閉しロックすることを避け、時間を節約し、安全性を向上させた。  
【図面の簡単な説明】
【００１０】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。  
【００１１】
【図１】図１は本発明の窓の開く程度をコントロールできるロックの内部構成略図
【図２】図２は図１のＡ―Ａの拡大略図
【図３】図３は図１のＢの拡大略図
【図４】図４は図１のＣ―Ｃ方向の構成略図
【図５】図５は図２のＤの拡大略図
【図６】図６は図２のＥ―Ｅ方向の構成略図
【発明を実施するための形態】
【００１２】
図１〜６を参照し、本発明の窓の開く程度をコントロールできるロックは、壁２２を含み、前記壁２２の中には回転チャンバ８０が前後に貫通するように設けられ、前記回転チャンバ８０の中には窓１５が回転できるように設けられ、前記窓１５の中には第一伝動軸１６が固定的に連結され、前記回転チャンバ８０の上側内壁の中には空きチャンバ２６が設けられ、前記空きチャンバ２６の中には起動装置１００が設けられ、前記空きチャンバ２６の上側内壁の中には発電機２４が設けられ、前記発電機２４には回転軸５０が固定的に連結され、前記上回転軸５０のうち前記発電機２４から離れた一端には第三傘歯車２３が固定的に連結され、前記第三傘歯車２３は前記起動装置１００と噛合することができ、前記第一伝動軸１６の上側には第二傘歯車１３が固定的に連結され、前記第二傘歯車１３も前記起動装置１００と噛合でき、前記回転チャンバ８０と前記空きチャンバ２６との間には閉めチャンバ３４が設けられ、前記閉めチャンバ３４の中には戻し装置１０１が設けられ、前記戻し装置１０１が前記第一伝動軸１６に固定的に連結され、前記回転チャンバ８０の下側内壁の中には旋転チャンバ４３が連通するように設けられ、前記旋転チャンバ４３の中には回転装置１０２が設けられ、前記回転装置１０２の上端が前記窓１５に固定的に連結され、前記旋転チャンバ４３の左側内壁の中には歯車チャンバ１９が連通するように設けられ、前記歯車チャンバ１９の中にはロック装置１０３が設けられ、前記ロック装置１０３と前記戻し装置１０１とが噛合するように連結され、前記起動装置１００は前記空きチャンバ２６の中に左右に対称的に設けられた回転可能な第一傘歯車１２を含み、前記第一傘歯車１２のうち対称中心から離れた一端には歯車軸２５が固定的に連結され、前記空きチャンバ２６の左右両側内壁の中には伝動チャンバ１０が対称的に、且つ連通するように設けられ、前記伝動チャンバ１０の中には第一電磁石１１がスライドできるように設けられ、前記第一傘歯車１２は同時に前記第三傘歯車２３と前記第二傘歯車１３とに噛合することができ、前記第三傘歯車２３が回転することにより前記第一傘歯車１２を回転連動させることができ、これによって前記第二傘歯車１３を回転連動させることができ、これによって前記第一伝動軸１６を回転連動させることができ、前記空きチャンバ２６の下側内壁にはプローブ１４が前記第二傘歯車１３に対して左右に対称的に固定的に設けられ、両側の前記第一傘歯車１２が同時にスライドし前記第三傘歯車２３と前記第二傘歯車１３と噛合したことを両側の前記プローブ１４が検知したとき、前記発電機２４が止まり、これによって前記第一傘歯車１２と、前記第三傘歯車２３と、前記第二傘歯車１３とを壊すことを防ぐ。  
【００１３】
有益に、前記戻し装置１０１は前記閉めチャンバ３４に左右に対称的に設けられたスライド板３３を含み、前記スライド板３３のうち対称中心から離れた一端と前記閉めチャンバ３４の左右両側内壁との間にはバネ３２が固定的に連結され、前記閉めチャンバ３４の中にはフレーム３６がスライドできるように設けられ、前記フレーム３６の中には上下に貫通したスライドチャンバ９０が設けられ、前記スライドチャンバ９０の中には偏心輪３５が回転できるように設けられ、前記偏心輪３５が前記第一伝動軸１６に固定的に連結され、前記フレーム３６の左右両端には直ロッド３７が対称的に固定的に連結され、前記直ロッド３７は前記スライド板３３を押すことによって前記バネ３２を圧縮することができ、前記バネ３２の弾力作用によって前記偏心輪３５が反転する傾向を持つ。  
【００１４】
有益に、前記回転装置１０２は前記旋転チャンバ４３の中に回転できるように設けられた連結軸４０を含み、前記連結軸４０の上端が前記窓１５に固定的に連結され、前記連結軸４０の下端には回転ロッド４１がヒンジによって連結され、前記回転ロッド４１の左端にはヒンジ軸４４がヒンジによって連結され、前記ヒンジ軸４４の下端にはスライドブロック２０が固定的に連結され、前記旋転チャンバ４３の下側内壁の中にはスライドブロック溝２１が連通するように設けられ、前記スライドブロック２０の下端が前記スライドブロック溝２１の中に伸びており、前記回転ロッド４１の中にはスライドロッド溝４２が上下に貫通するように設けられ、前記スライドロッド溝４２の中にはスライドロッド３８がスライドできるように設けられ、前記スライドロッド３８の右端が前記旋転チャンバ４３の右側内壁にヒンジによって連結され、これによって前記回転ロッド４１が回転するときに支点を提供でき、これによって前記スライドブロック２０が前記スライドブロック溝２１に沿って左右にスライドすることができる。  
【００１５】
有益に、前記ロック装置１０３は前記歯車チャンバ１９の中にスライドできるように設けられた移動軸２７を含み、前記移動軸２７には第一爪車１７と第二爪車４７とが回転できるように連結され、前記スライドブロック溝２１の中にはラック３０がスライドできるように設けられ、前記ラック３０の右端が前記スライドブロック２０に固定的に連結され、前記歯車チャンバ１９の前側内壁の中には移動チャンバ４９が連通するように設けられ、前記移動チャンバ４９の中には第三電磁石４６がスライドできるように設けられ、前記移動軸２７の前側と前記第三電磁石４６とが固定的に連結され、前記第三電磁石４６が通電された後に前記移動軸２７をスライド連動させることができ、これによって前記第一爪車１７と前記第二爪車４７とをスライド連動させて前記ラック３０と噛合させまたは離脱させることができ、前記移動軸２７の周面には二つの歯止め２９が固定的に連結され、二つの歯止めがそれぞれ前記第一爪車１７と前記第二爪車４７と片方向で噛合するように連結され、右側の前記歯止め２９は前記第一爪車１７が時計回りに回転することを阻害でき、前側の前記歯止め２９は前記第二爪車４７が反時計回りに回転することを阻害でき、前記歯車チャンバ１９の後側内壁の中には内チャンバ３１が連通するように設けられ、前記移動軸２７の後端が前記内チャンバ３１の中に伸びている。  
【００１６】
初期状態に、第二電磁石ブロック４５が通電され、これによって両側の第一傘歯車１２を第三傘歯車２３と第二傘歯車１３と噛合できないようにする。  
【００１７】
使用時に、左側の第二電磁石ブロック４５の通電状態を解除し、このとき左側の第一電磁石１１がスライドし第二電磁石ブロック４５から離れ、これによって歯車軸２５を押してスライドさせ、これによって第一傘歯車１２をスライド連動させて第二傘歯車１３及び第三傘歯車２３と噛合させ、このとき発電機２４を始動し、これによって第三傘歯車２３を連動させ、これによって第一傘歯車１２を回転連動させ、これによって第二傘歯車１３を回転連動させ、これによって第一伝動軸１６で窓１５を回転連動させ、これによって連結軸４０を回転連動させ、回転ロッド４１と連結軸４０との間がヒンジによって連結されているため、このとき回転ロッド４１は連結軸４０を中心に回転することができ、同時にスライドロッド３８のガイド支持により、回転ロッド４１はヒンジ軸４４をスライド連動させることができ、ヒンジ軸４４と回転ロッド４１との間がヒンジによって連結されているため、このときヒンジ軸４４と回転ロッド４１とが相対回転し、同時にヒンジ軸４４はスライドブロック２０を連動させ、スライドブロック２０がスライドブロック溝２１に沿って右へスライドすることができ、これによってラック３０を右へスライド連動させることができ、このとき第一爪車１７とラック３０とが噛合し、このとき後側の歯止め２９は第一爪車１７の回転に阻害しないのであり、窓１５が使用者が求める角度に達したとき、左側の第二電磁石ブロック４５を通電させ、発電機２４を止め、このとき第一伝動軸１６が窓１５を回転連動させる同時に偏心輪３５を回転連動させ、これによってフレーム３６を押しスライドさせ、これによって直ロッド３７をスライド連動させ、これによって左側のスライド板３３を押しスライドさせ、左側のスライド板３３が左側のバネ３２を圧縮し、左側のバネ３２の弾力作用により、偏心輪３５が回転する傾向を持ち、これによって第一伝動軸１６が窓１５を回転連動させる傾向を持ち、このとき後側の歯止め２９が第一爪車１７の反転を阻害することにより、窓１５の回転を阻止し、これによって窓１５をロックでき、窓１５を閉めるとき、右側の第二電磁石ブロック４５の通電状態を解除し、また左側の第二電磁石ブロック４５を通電させ、このとき右側の第一電磁石１１がスライドし右側の第二電磁石ブロック４５から離れ、これによって右側の歯車軸２５を押しスライドさせ、これによって右側の第一傘歯車１２をスライド連動させて第二傘歯車１３及び第三傘歯車２３と噛合させ、このとき発電機２４を始動し、これによって第三傘歯車２３を回転連動させ、これによって第一傘歯車１２を回転連動させ、これによって第二傘歯車１３を回転連動させ、これによって第一伝動軸１６で窓１５を回転連動させ、これによって連結軸４０を回転連動させ、回転ロッド４１と連結軸４０との間がヒンジによって連結されているため、このとき回転ロッド４１は連結軸４０を中心に回転することができ、同時にスライドロッド３８のガイド支持により、回転ロッド４１はヒンジ軸４４をスライド連動させることができ、ヒンジ軸４４と回転ロッド４１との間がヒンジによって連結されているため、このときヒンジ軸４４と回転ロッド４１とが相対回転し、同時にヒンジ軸４４はスライドブロック２０を連動させて、スライドブロック２０にスライドブロック溝２１に沿って左へスライドさせ、これによってラック３０を左へスライド連動させ、このとき第二爪車４７とラック３０とが噛合し、このとき前側の爪車２９が第二爪車４７の回転に影響しないのであり、第一伝動軸１６が窓１５を回転連動させる同時に偏心輪３５を回転連動させ、これによってフレーム３６を押しスライドさせ、これによって直ロッド３７をスライド連動させ、これによって左側のスライド板３３を押しスライドさせ、左側のスライド板３３が左側のバネ３２を圧縮し、右側のバネ３２の弾力作用により、偏心輪３５が回転する傾向を持ち、これによって第一伝動軸１６が窓１５を回転連動させる傾向を持ち、これによってスライドブロック２０が右へスライドする傾向を持ち、このとき前側の歯止め２９が第一爪車１７の反転を阻害することにより、窓１５の回転を阻止できる。  
【００１８】
有益効果は：本発明は構造が簡単で、操作が便利であり、自動的に窓の開く程度をコントロールでき、また窓をロックすることもでき、本装置は人々が高いところに登って窓を開閉しロックすることを避け、時間を節約し、安全性を向上させた。  
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。